(57)【要約】【目的】操作状況が瞬時に判別できるオーディオ装置の電光表示方法を提供する。【構成】マイクロコンピュータ１によって電光表示装置の表示内容が制御されるオーディオ装置の電光表示方法であって、前記オーディオ装置の操作パネル面上の各キー７の操作項目と関係する表示画面５の文字及び図画をそれぞれ対応させて予めメモリ装置３に記録しておき、キー７の操作時に、マイクロコンピュータ１が前記操作パネル面上の操作されているキー７の操作項目と関係する表示画面５の文字及び図画を前記メモリ装置３から選択し、マイクロコンピュータ１が当該操作されているキー７に関係する文字及び図画のみを他の関係しない文字及び図画よりも明るく表示するように電光表示装置の表示駆動電圧を制御する構成である。【選択図】    図１
2004184948.tif 000002
【特許請求の範囲】
【請求項１】
マイクロコンピュータによって電光表示装置の表示内容が制御されるオーディオ装置の電光表示方法において、
前記オーディオ装置の操作パネル面上の各キーの操作項目と関係する表示画面の文字及び図画をそれぞれ対応させて予めメモリ装置に記録しておき、キー操作時に、マイクロコンピュータが前記操作パネル面上の操作されているキーの操作項目と関係する表示画面の文字及び図画を前記メモリ装置に記録された対応テーブルから選択し、マイクロコンピュータが当該操作されているキーに関係する文字及び図画のみを他の関係しない文字及び図画よりも明るく表示するように電光表示装置の表示駆動電圧を制御することを特徴とするオーディオ装置の電光表示方法。
【発明の詳細な説明】
【０００１】
【発明の属する技術分野】
本発明は、電子機器の分野に属し、特にコンパクトディスク、ミニディスク等の再生装置やＦＭラジオチューナ等のオーディオ装置におけるキー操作内容等の種々の情報を表示画面に表示する電光表示装置の表示方法に関する。
【０００２】
【従来の技術】
一般に、電子機器には電光表示装置が備えられていて、操作パネル面上のキー操作内容その他の情報を画面表示している。
【０００３】
オーディオ装置（ＦＭ／ＡＭラジオチューナ、ＣＤプレーヤ、ＭＤプレーヤ等）は、現在では高機能化が進展して、その操作パネル面上の表示画面に表示されるオーディオ情報は多岐に亙っている。
【０００４】
また、カーオーディオ分野に視点を向ければ、電光表示装置はオーディオ装置自身の情報の他に、自動車の運転中における温度／湿度、燃料残量、走行距離、エアコン情報、電話情報、時刻等の多彩な情報をドライバーに提供する集約化された情報提供手段として利用されることも今後予想される。
【０００５】
ところで、カーオーディオシステムその他のオーディオ装置における電光表示画面に映し出される英数字等の文字やキャラクター等の図画は全て同じ明るさで表示されている。即ちセグメントに印加される駆動電圧は一定である。
【０００６】
尤も、昼日中と夜間で電光表示画面の全体の明るさを２段階に変えることは一部カーオーディオシステムで採用されているが、表示素子の明るさを決定する電気的入力値は全て一様に印加されている（例えば特許文献１参照）。
【０００７】
なお、上記電子機器の電光表示装置の表示素子としては、現在のところ主に液晶（ＬＣ）又は発光ダイオード（ＬＥＤ）であるが、今後はエレクトロルミネッセンス（ＥＬ）やプラズマディスプレイ（ＰＤ）の採用も考えられる。
【０００８】
【特許文献１】
特開平１１−２３３２７６号公報
【０００９】
【発明が解決しようとする課題】
従来はオーディオ装置の電光表示画面はＣＤ／ＭＤプレーヤ、チューナー、アンプ等の各ブロックで別れており、各表示内容が分散していたが、コスト、設計工数、アッセンブルのシンプル化に伴い、集中化してきており、一つの表示画面に多くの種類の情報の文字や図画が混在して表示されているので、瞬時に判読するのが困難となっている。
【００１０】
例えば、表示画面に温度、周波数、オーディオ、エアコン、電話等の多彩な情報が同一の明るさで混在しているのである。
【００１１】
以上の観点から、本発明は操作時に操作キーに関係する文字及び図画のみを他の関係しないものよりも明るく表示するようにして瞬時に判別し易いようにしたオーディオ装置の電光表示方法を提供するものである。
【００１２】
【課題を解決するための手段】
本発明は、上記課題を解決するために、マイクロコンピュータによって電光表示装置の表示内容が制御されるオーディオ装置の電光表示方法において、前記オーディオ装置の操作パネル面上の各キーの操作項目と関係する表示画面の文字及び図画をそれぞれ対応させて予めメモリ装置に記録しておき、キー操作時に、マイクロコンピュータが前記操作パネル面上の操作されているキーの操作項目と関係する表示画面の文字及び図画を前記メモリ装置から選択し、マイクロコンピュータが当該操作されているキーに関係する文字及び図画のみを他の関係しない文字及び図画よりも明るく表示するように電光表示装置の表示駆動電圧を制御することを特徴とするオーディオ装置の電光表示方法を提供する。
【００１３】
【発明の実施の形態】
本発明に係るオーディオ装置の電光表示装置の実施の形態について、カーオーディオシステムの液晶表示装置（ＬＣＤ）を例に詳述する。
【００１４】
本発明を直裁に言えば、ユーザーが操作している当該操作キーに関係する項目の文字及び図画のみが他の関係しない文字・図画よりも比較的明るく表示されるという制御をマイクロコンピュータにてドライバーに対して行い、対象の文字及び図画のセグメントについて表示駆動電圧を他のセグメントと変えるという手法である。
【００１５】
図１に示される本発明に係る電光表示装置とその制御回路を示すブロック図において、本発明の電光表示方法における制御を行うマイクロコンピュータ１には制御手段として機能させる制御プログラムが内蔵のＲＯＭ２にＣ言語等の記述言語によってプログラムデータとして記録されているものとする。そして、前記内蔵のＲＯＭ２又は外部メモリ装置３（フラッシュＲＯＭ、ＰＲＯＭ等）に操作パネル面上の各キー７の操作項目と関係する表示画面５の文字及び図画をそれぞれ対応させて予めメモリ装置３等に記録しておき、キー７の操作時に、マイクロコンピュータ１が前記操作パネル面上の操作されているキー７の操作項目と関係する表示画面５の文字及び図画のセグメント群を前記メモリ装置３から選択し、マイクロコンピュータ１が当該操作されているキー７に関係する文字及び図画のみを他の関係しない文字及び図画よりも明るく表示するように電光表示装置５のドライバー回路４（ＩＣである。）における表示駆動電圧ＶＯＵＴを制御する。
【００１６】
上記表示画面５の文字・図画の各セグメントに対する表示駆動電圧を選択的に変える手段としては、例えば、図３に示されるような異なる出力電圧ＶＯＵＴの定電圧回路１０を２個利用して、明度に差を設けるような異なる表示駆動電圧を与える２つのＶＯＵＴを操作キーに関係する文字・図画と関係しない文字・図画の各セグメントに選択的に印加することによって実現する。
【００１７】
図３の定電圧回路１０を説明すると、入力電圧ＶＩＮに対して出力電圧ＶＯＵＴが外部制御電圧ＶＯＮ／ＯＦＦによって或る一定の電圧にコントロールされる帰還型定電圧回路であり、抵抗Ｒ１に或る一定の安定化された外部制御電圧ＶＯＮ／ＯＦＦを加えることにより定電圧回路が働く簡素な構成であって低コストで実現する。
【００１８】
この時、図３におけるＮＰＮトランジスタＱ３は（ツェナーダイオードＤ１の電圧）＋（ＮＰＮトランジスタＱ３のオン電圧）を境にしてＮＰＮトランジスタＱ２のオン／オフをコントロールしてＶＯＵＴ（ＰＮＰトランジスタＱ１のコレクタ出力）はおおよそ前記（ツェナーダイオードＤ１の電圧）＋（ＮＰＮトランジスタＱ３のオン電圧）の値に固定される。なお、図３中のコンデンサＣ１、Ｃ２は回路動作の安定化のために挿入されている動作安定化コンデンサである。
【００１９】
帰還型定電圧回路１０はその出力電圧ＶＯＵＴが第１の外部制御電圧ＶＯＮ／ＯＦＦに応じて０Ｖ又は（ツェナーダイオードＤ１の電圧）＋（ＮＰＮトランジスタＱ３のオン電圧）の値に固定される。
【００２０】
以上により、例えば図２に示される電光表示画面５のように、スピーカーのＬ、Ｒのバランス調整をキー操作で行う場合に、ＬＲのバランスをビジュアルに表示する図画Ｂのみが他の時刻表示やＭＤ再生の表示内容等を表す文字・図画Ａ（ハッチ入り）よりも明るく表示されるのである。
【００２１】
念のために付言すれば、上記のような表示の明度に差を設ける手段としては、上記照明電圧切換回路１０以外の回路でもよい。また、本発明の電光表示方法が有効なのは電光表示画面において同じ場所に種々の表示が混在する場合であり、別の事例を挙げれば、ＦＭラジオ受信周波数調整操作時に、「ＦＭ」、「周波数の数字」、「Ｈｚ」の文字のみがより明るく又は他の文字・図画がより暗くなるようにするのである。
【００２２】
なお、操作キー７の操作が終了したと判断されれば（例えば操作キー７の停止後その停止状態が数秒継続したら終了と見做す。）、全表示が単一の明るさに戻るようにマイクロコンピュータ１が制御を行うようにすることが肝要である。
【００２３】
【発明の効果】
本発明に係るオーディオ装置の電光表示方法では、上記のような手順によって、操作キーに関係する文字や図画が他の関係しない文字・図画よりも自動的に明るく表示されるので、識別性が向上してキー操作時に必要な情報を瞬時に判別することができる。
【００２４】
【図面の簡単な説明】
【図１】本発明に係る車載用オーディオ装置の出力制御設定プログラムのフロー図例である。
【図２】従来のオーディオシステムの一例の簡略化したブロック構成図である。
【図３】本発明に用いる電光表示装置の照明電圧切換回路図である。
【符号の説明】
１        マイクロコンピュータ
２        内蔵のＲＯＭ
３        外部メモリ装置
４        ドライバー回路
５        電光表示画面
７        操作キー
１０        定電圧回路
Ｑ１        ＰＮＰトランジスタ
Ｑ２        ＮＰＮトランジスタ
Ｑ３        ＮＰＮトランジスタ
Ｒ１        抵抗
Ｃ１、Ｃ２        動作安定化コンデンサ
Ｄ１        ツェナーダイオード
ＶＩＮ      入力電圧
ＶＯＵＴ    出力電圧（表示駆動電圧）
ＶＯＮ／ＯＦＦ    第１の外部制御電圧
【図１】
2004184948.tif 000003
【図２】
2004184948.tif 000004
【図３】
2004184948.tif 000005